(57)【要約】【課題】耐光性に加えて、初期充填性、印刷安定性（間欠）に優れるインク組成物を提供することを目的とする。【解決手段】特定の染料の組合せを含むインク組成物であって、当該インクのシリコンウェーハに対する動的接触角が、滴下後１００ｍｓｅｃで２４°以下であり、かつ、滴下後５１００ｍｓｅｃで９°以下である、インク組成物。【選択図】なし【特許請求の範囲】
【請求項１】
下記式で表される染料（Ｙ−１）と、Ｃ．Ｉ．ダイレクトイエロー８６、１３２、及び１４２からなる群より選ばれる染料（Ｙ−２）と、を含み、
前記染料（Ｙ−１）と前記染料（Ｙ−２）の含有量比率Ａ（前記染料（Ｙ−１）：前記染料（Ｙ−２））が、７：３〜９．５：０．５であり、
前記染料（Ｙ−１）の含有量が、２．０〜５．０質量％であり、
シリコンウェーハに対する動的接触角が、滴下後１００ｍｓｅｃで２４°以下であり、かつ、滴下後５１００ｍｓｅｃで９°以下である、
インク組成物。
【化１】
2016089042.tif 000018
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【請求項２】
前記染料（Ｙ−２）の含有量が、０．１０〜１．０質量％である、請求項１に記載のインク組成物。
【請求項３】
下記式で表される染料（Ｙ−３）を含み、
該染料（Ｙ−３）の含有量が、０．５０〜１．５質量％である、請求項１又は２に記載のインク組成物。
【化２】
2016089042.tif 000019
（式（Ｙ−３）中、Ｒ13はそれぞれ独立に、水素原子又は置換基を表し、Ｒ14はそれぞれ独立に、−ＯＲ16、−ＮＨＲ17又はシアノ基を表し、Ｒ16及びＲ17は水素原子又は置換基を表し、Ｘ1は置換若しくは無置換のアリール基又は置換若しくは無置換のトリアジン基を表し、ｎ６は０又は１であり、Ａｒ1はそれぞれ独立に、２価のヘテロ環基を表し、Ａｒ2はそれぞれ独立に、置換若しくは無置換のアルキル基、置換若しくは無置換のアリール基又はトリアジン基を表す。）
【請求項４】
主鎖の炭素数が１２以上であるアセチレングリコールのアルキレンオキサイド付加物と、主鎖の炭素数が１０以上であるアセチレングリコールと、を含む、請求項１〜３のいずれか１項に記載のインク組成物。
【請求項５】
ポリオキシアルキレンアルキルエーテルを含む、請求項１〜４のいずれか１項に記載のインク組成物。
【請求項６】
トリエチレングリコールアルキルエーテルを含む、請求項１〜５のいずれか１項に記載のインク組成物。
【請求項７】
前記ポリオキシアルキレンアルキルエーテルに対する前記トリエチレングリコールアルキルエーテルの質量比が２以上である、請求項６に記載のインク組成物。
【請求項８】
前記ポリオキシアルキレンアルキルエーテルの含有量が、１．０質量％〜５．０質量％である、請求項５〜７のいずれか１項に記載のインク組成物。
【請求項９】
前記トリエチレングリコールアルキルエーテルの含有量が、３．０質量％〜１５質量％である、請求項６〜８のいずれか１項に記載のインク組成物。
【請求項１０】
前記トリエチレングリコールアルキルエーテルが、トリエチレングリコールモノブチルエーテルを含む、請求項６〜９のいずれか１項に記載のインク組成物。
【発明の詳細な説明】
【技術分野】
【０００１】
本発明は、インク組成物に関する。
【背景技術】
【０００２】
インクジェット記録方法は、比較的単純な装置で、高精細な画像の記録が可能であり、各方面で急速な発展を遂げている。その中で、得られる記録物の画像等について種々の検討がなされている。例えば、特許文献１には、良好なオゾンガス堅牢性と高い印画濃度を有する着色組成物を提供することを目的として、所定のフタロシアニン染料を２種類含む着色組成物が開示されている。
【先行技術文献】
【特許文献】
【０００３】
【特許文献１】特開２０１３−１２２０３９号公報
【発明の概要】
【発明が解決しようとする課題】
【０００４】
インク組成物は、カートリッジ、パック、大容量タンク等の様々なインク収容体に充填されて用いられる。このように、インクの使用用途の拡大に伴い、上記のような耐光性に加えて、さらに高信頼性（初期充填性、印刷安定性（間欠））にも優れるインク組成物が望まれる。
【０００５】
本発明は、上述の課題の少なくとも一部を解決するためになされたものであり、耐光性に加えて、初期充填性、印刷安定性（間欠）に優れるインク組成物を提供することを目的とする。
【課題を解決するための手段】
【０００６】
本発明者らは、上記課題を解決するために鋭意検討した。その結果、所定の染料を所定量用いることにより上記課題を解決できることを見出して、本発明を完成させた。
【０００７】
すなわち、本発明は以下のとおりである。
〔１〕
下記式で表される染料（Ｙ−１）と、Ｃ．Ｉ．ダイレクトイエロー８６、１３２、及び１４２からなる群より選ばれる染料（Ｙ−２）と、を含み、
前記染料（Ｙ−１）と前記染料（Ｙ−２）の含有量比率Ａ（前記染料（Ｙ−１）：前記染料（Ｙ−２））が、７：３〜９．５：０．５であり、
前記染料（Ｙ−１）の含有量が、２．０〜５．０質量％であり、
シリコンウェーハに対する動的接触角が、滴下後１００ｍｓｅｃで２４°以下であり、かつ、滴下後５１００ｍｓｅｃで９°以下である、
インク組成物。
【化１】
2016089042.tif 000002
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
〔２〕
前記染料（Ｙ−２）の含有量が、０．１０〜１．０質量％である、前項〔１〕に記載のインク組成物。
〔３〕
下記式で表される染料（Ｙ−３）を含み、
該染料（Ｙ−３）の含有量が、０．５０〜１．５質量％である、前項〔１〕又は〔２〕に記載のインク組成物。
【化２】
2016089042.tif 000003
（式（Ｙ−３）中、Ｒ13はそれぞれ独立に、水素原子又は置換基を表し、Ｒ14はそれぞれ独立に、−ＯＲ16、−ＮＨＲ17又はシアノ基を表し、Ｒ16及びＲ17は水素原子又は置換基を表し、Ｘ1は置換若しくは無置換のアリール基又は置換若しくは無置換のトリアジン基を表し、ｎ６は０又は１であり、Ａｒ1はそれぞれ独立に、２価のヘテロ環基を表し、Ａｒ2はそれぞれ独立に、置換若しくは無置換のアルキル基、置換若しくは無置換のアリール基又はトリアジン基を表す。）
〔４〕
主鎖の炭素数が１２以上であるアセチレングリコールのアルキレンオキサイド付加物と、主鎖の炭素数が１０以上であるアセチレングリコールと、を含む、前項〔１〕〜〔３〕のいずれか１項に記載のインク組成物。
〔５〕
ポリオキシアルキレンアルキルエーテルを含む、前項〔１〕〜〔４〕のいずれか１項に記載のインク組成物。
〔６〕
トリエチレングリコールアルキルエーテルを含む、前項〔１〕〜〔５〕のいずれか１項に記載のインク組成物。
〔７〕
前記ポリオキシアルキレンアルキルエーテルに対する前記トリエチレングリコールアルキルエーテルの質量比が２以上である、前項〔６〕に記載のインク組成物。
〔８〕
前記ポリオキシアルキレンアルキルエーテルの含有量が、１．０質量％〜５．０質量％である、前項〔５〕〜〔７〕のいずれか１項に記載のインク組成物。
〔９〕
前記トリエチレングリコールアルキルエーテルの含有量が、３．０質量％〜１５質量％である、前項〔６〕〜〔８〕のいずれか１項に記載のインク組成物。
〔１０〕
前記トリエチレングリコールアルキルエーテルが、トリエチレングリコールモノブチルエーテルを含む、前項〔６〕〜〔９〕のいずれか１項に記載のインク組成物。
【発明を実施するための形態】
【０００８】
以下、本発明の実施の形態（以下、「本実施形態」という。）について詳細に説明するが、本発明はこれに限定されるものではなく、その要旨を逸脱しない範囲で様々な変形が可能である。
【０００９】
〔インク組成物〕
本実施形態のインク組成物は、下記式で表される染料（Ｙ−１）と、Ｃ．Ｉ．ダイレクトイエロー８６、１３２、及び１４２からなる群より選ばれる染料（Ｙ−２）と、を含み、前記染料（Ｙ−１）と前記染料（Ｙ−２）の含有量比率Ａ（前記染料（Ｙ−１）：前記染料（Ｙ−２））が、７：３〜９．５：０．５であり、前記染料（Ｙ−１）の含有量が、２．０〜５．０質量％であり、シリコンウェーハに対する動的接触角が、滴下後１００ｍｓｅｃで２４°以下であり、かつ、滴下後５１００ｍｓｅｃで９°以下である。
【化３】
2016089042.tif 000004
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【００１０】
（置換基群Ａ）
まず、置換基群Ａ、イオン性親水性基について定義する。
置換基群Ａとしては、特に限定されないが、例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、スルホンアミド基、イオン性親水性基が例として挙げられる。これらの置換基は更に置換されてもよく、更なる置換基としては、以上に説明した置換基群Ａから選択される基を挙げることができる。
【００１１】
更に詳しくは、ハロゲン原子としては、例えば、フッ素原子、塩素原子、臭素原子、又はヨウ素原子が挙げられる。
【００１２】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００１３】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００１４】
アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００１５】
アルキニル基としては、好ましくは、炭素数２から３０の置換又は無置換のアルキニル基、例えば、エチニル基、プロパルギル基、トリメチルシリルエチニル基等が挙げられる。
【００１６】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００１７】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。
【００１８】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００１９】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００２０】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００２１】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００２２】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００２３】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００２４】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００２５】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００２６】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００２７】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００２８】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００２９】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００３０】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００３１】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００３２】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
【００３３】
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００３４】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００３５】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００３６】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【００３７】
アルキル又はアリールスルフィニル基としては、好ましくは、炭素数１から３０の置換又は無置換のアルキルスルフィニル基、６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００３８】
アルキル又はアリールスルホニル基としては、好ましくは、炭素数１から３０の置換又は無置換のアルキルスルホニル基、６から３０の置換又は無置換のアリールスルホニル基、例えば、メチルスルホニル基、エチルスルホニル基、フェニルスルホニル基、ｐ−メチルフェニルスルホニル基等が挙げられる。
【００３９】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４０】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００４１】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００４２】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００４３】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ、ｐ−クロロフェニルアゾ、５−エチルチオ−１，３，４−チアジアゾール−２−イルアゾ等が挙げられる。
【００４４】
イミド基としては、好ましくは、Ｎ−スクシンイミド基、Ｎ−フタルイミド基等が挙げられる。
【００４５】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００４６】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００４７】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００４８】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００４９】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００５０】
（イオン性親水性基）
イオン性親水性基としては、特に限定されないが、例えば、スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、リチウム塩又はリチウム塩を主成分とする混合塩が更に好ましく、リチウム塩が最も好ましい。
【００５１】
〔式（Ｙ−１）で表される色材〕
以下、式（Ｙ−１）で表されるアゾ染料（イエロー染料）について説明する。
【化４】
2016089042.tif 000005
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【００５２】
式（Ｙ−１）中、Ａｒ3で表される２価のヘテロ環基としては、５員又は６員環のものが好ましく、それらは更に縮環していてもよい。また、芳香族ヘテロ環であっても非芳香族ヘテロ環であってもよい。Ａｒ3で表される２価のヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述の置換基群Ａと同じである。
【００５３】
式（Ｙ−１）中、Ｒ4、Ｒ6及びＲ7で表される置換基は、前記置換基群Ａより選択される。
【００５４】
式（Ｙ−１）中、Ｒ4はアルキル基、アルコキシ基、アリール基であることが好ましく、炭素原子数１〜４のアルキル基であることが好ましく、メチル基、エチル基、ターシャリーブチル基、フェニル基、メトキシ基、エトキシ基であることがより好ましく、ターシャリーブチル基であることが更に好ましい。
【００５５】
式（Ｙ−１）中、Ｒ5は置換又は無置換のアミノ基であることが好ましく、Ｒ5は無置換のアミノ基であることがより好ましい。
【００５６】
また、式（Ｙ−１）中、Ａｒ4は置換又は無置換のアリール基であることが好ましく、置換又は無置換のフェニル基であることが更に好ましい。
【００５７】
式（Ｙ−１）中、Ｒ4、Ｒ5、Ａｒ4がさらに置換基を有する場合の置換基としては前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
【００５８】
式（Ｙ−１）中、Ｘ3で表される二価の連結基は、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲA−（ＲAは水素原子、アルキル基又はアリール基）、−Ｓ−、−ＳＯ2−、−ＳＯ−又はこれらの組み合わせであることが好ましい。
【００５９】
式（Ｙ−１）中、Ｘ3で表されるアルキレン基、アルケニレン基、アルキニレン基、アリーレン基、二価のヘテロ環基、ＲAで表されるアルキル基又はアリール基は、置換基を有していてもよい。置換基の例としては、前記置換基と同じである。ＲAで表されるアルキル基及びアリール基は、置換若しくは無置換の、アルキル基又はアリール基が含まれる。置換若しくは無置換のアルキル基としては、炭素原子数が１〜３０のアルキル基が好ましく、置換若しくは無置換のアリール基としては、炭素数６から３０のアリール基が好ましい。
【００６０】
式（Ｙ−１）中、Ｘ3で表される二価の連結基において、更に好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｏ―、−Ｓ−又はこれらの組み合わせであり、アルキレン基、もしくは−Ｓ−、又はこれらの組み合わせであることが、更に好ましい。
【００６１】
二価の連結基の総炭素数は０〜５０であることが好ましく、０〜３０であることがより好ましく、０〜１０であることが最も好ましい。
【００６２】
式（Ｙ−１）中、Ａｒ4で表されるアリール基又はアリーレン基は、前述のＲAで表されるアリール基又はアリーレン基と同義であり好ましいものも同様である。また、Ａｒ4で表されるトリアジン基は１価の置換基を有していてもよい（１価の置換基は前述の置換基群Ａと同義であり好ましいものも同様である。）。
【００６３】
式（Ｙ−１）で表される色材としては、特に限定されないが、例えば、下記式（Ｙ−１−１）で表される化合物が好ましく、下記式（Ｙ−１−２）で表される化合物がより好ましい。
【００６４】
【化５】
2016089042.tif 000006
（式（Ｙ−１−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａ1はイオン性親水性基を表し、ｎ１は０〜２を表す。）
【００６５】
式（Ｙ−１−１）中、Ｒ4、Ｒ5、Ａｒ3、ｎ０及びＸ3は、式（Ｙ−１）におけるＲ4、Ｒ5、Ａｒ3、ｎ０及びＸ3と同義であり好ましいものも同様である。
【００６６】
式（Ｙ−１−１）中、Ａ1で表されるイオン性親水性基は、−ＳＯ3Ｍ又は−ＣＯ2Ｍが好ましく、−ＳＯ3Ｍがより好ましく、−ＣＯ2Ｋが特に好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【００６７】
式（Ｙ−１−２）：
【化６】
2016089042.tif 000007
（式（Ｙ−１−２）中、Ｒ20はアルキレン基、−Ｓ−、又はこれらの組み合わせからなる連結基を表し、Ｒ21はイオン性親水性基を表し、Ｒ11はアルキル基を表し、Ｒ12はアミノ基を表す。）
【００６８】
式（Ｙ−１−２）中、Ｒ20は、式（Ｙ−１）のＸ3で表される二価の連結基におけるアルキレン基と同義であり好ましいものも同様である。
【００６９】
式（Ｙ−１−２）中、Ｒ21はカルボキシル基（−ＣＯ2Ｍ）を表し、Ｍは各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【００７０】
式（Ｙ−１−２）中、Ｒ11で表されるアルキル基及びＲ12で表されるアミノ基は、それぞれ、前記式（Ｙ−１）のＲ4、Ｒ5におけるアルキル基及びアミノ基と同義であり好ましいものも同様である。
【００７１】
式（Ｙ−１）で表される化合物の具体例を以下に示すが、本実施形態に用いられる化合物は、下記の例に限定されるものではない。なお、具体例中、Ｅｔはエチルを、Ｐｈはフェニルを、それぞれ意味する。
【００７２】
【化７】
2016089042.tif 000008
【００７３】
【化８】
2016089042.tif 000009
【００７４】
式（Ｙ−１）で表される化合物は、一般的な合成法で合成することが可能であり、例えば特開２００４−０８３９０３公報中に記載のジアゾ成分及びカップリング成分を変更、種々組み合わせることで合成することができる。
【００７５】
式（Ｙ−１）で表される色材の含有量は、イエローインクの総量に対して、好ましくは１．０〜７．０質量％であり、より好ましくは２．０〜６．０質量％であり、さらに好ましくは２．０〜５．０質量％である。式（Ｙ−１）で表される色材の含有量が上記範囲内であることにより、着色力、耐光性、及び色相に優れる画像が得られる傾向にある。
【００７６】
〔染料（Ｙ−２）〕
染料（Ｙ−２）としては、Ｃ．Ｉ．ダイレクトイエロー８６、１３２、及び１４２からなる群より選ばれる染料が挙げられる。その他、特に限定されないが、例えば、Ｃ．Ｉ．ダイレクトイエロー１、１２、２４、３３、５０、５５、５８、８６、１３２、１４２、１４４、１７３を用いることができる。このなかでも、Ｃ．Ｉ．ダイレクトイエロー８６及び１３２の少なくともいずれかが好ましい。このような染料を用いることにより、インクジェットプリンターのヘッドノズル面における染料凝集が緩和され、印字安定性能がより向上する傾向にある。
【００７７】
染料（Ｙ−２）の含有量は、好ましくは０．０５０〜１．２質量％であり、より好ましくは０．１０〜１．０質量％であり、さらに好ましくは０．３０〜０．９０質量％である。染料（Ｙ−２）の含有量が０．０５０質量％以上であることにより、インクジェットプリンターのヘッドノズル面における染料凝集が緩和され、印字安定性能がより向上する傾向にある。また、染料（Ｙ−２）の含有量が１．２質量％以下であることにより、染料Ｙ−１が本来より備えている印刷物の耐光性能を損なうことなく、インクジェットプリンターのヘッドノズル面における染料凝集が緩和され、印字安定性能がより向上する傾向にある。
【００７８】
染料（Ｙ−１）と、染料（Ｙ−２）との含有量比率Ａ（染料（Ｙ−１）：染料（Ｙ−２））は、７：３〜９．５：０．５であり、より好ましくは７．５：２．５〜９．３：０．７であり、さらに好ましくは８：２〜９：１である。含有量比率Ａが上記範囲内であることにより、染料Ｙ−１が本来より備えている印刷物の耐光性能を損なうことなく、インクジェットプリンターのヘッドノズル面における染料凝集が緩和され、印字安定性能がより向上する傾向にある。
【００７９】
（式（Ｙ−３）で表される化合物）
本実施形態のインク組成物は、式（Ｙ−３）で表される染料（Ｙ−３）をさらに含んでもよい。染料（Ｙ−３）を含むことにより、印刷物の耐光性能がより向上する傾向にある。以下、式（Ｙ−３）で表される染料（Ｙ−３）について詳細に説明する。
【化９】
2016089042.tif 000010
（式（Ｙ−３）中、Ｒ13はそれぞれ独立に、水素原子又は置換基を表し、Ｒ14はそれぞれ独立に、−ＯＲ16、−ＮＨＲ17又はシアノ基を表し、Ｒ16及びＲ17は水素原子又は置換基を表し、Ｘ1は置換若しくは無置換のアリール基又は置換若しくは無置換のトリアジン基を表し、ｎ６は０又は１であり、Ａｒ1はそれぞれ独立に、２価のヘテロ環基を表し、Ａｒ2はそれぞれ独立に、置換若しくは無置換のアルキル基、置換若しくは無置換のアリール基又はトリアジン基を表す。）
【００８０】
式（Ｙ−３）中、Ｒ13はそれぞれ独立に、水素原子、置換若しくは無置換のアルキル基、置換若しくは無置換のアルコキシ基、又は置換若しくは無置換のアリール基であることが好ましく、水素原子、メチル基、エチル基、ターシャリーブチル基、フェニル基、メトキシ基、エトキシ基であることがより好ましく、水素原子、又はターシャリーブチル基であることが更に好ましい。Ｒ13がさらに置換基を有する場合の置換基としては、前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
Ｒ14はそれぞれ、シアノ基であることが好ましい。
【００８１】
式（Ｙ−３）中、Ａｒ1で表される２価のヘテロ環基としては、それぞれ独立に５員又は６員環のものが好ましく、それらは更に縮環していてもよい。また、芳香族ヘテロ環であっても非芳香族ヘテロ環であっても良い。
【００８２】
式（Ｙ−３）中、Ａｒ1で表される２価のヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述の置換基群Ａと同じであり、アルキル基、アリール基、ヘテロ環基、シアノ基、ヒドロキシル基、ニトロ基、又はアルコキシ基が好ましく、アルキル基、アリール基、又はヘテロ環基が更に好ましい。
【００８３】
式（Ｙ−３）中、Ａｒ2はそれぞれ独立に、置換若しくは無置換のアリール基であることが好ましく、置換若しくは無置換のフェニル基であることが更に好ましく、イオン性親水性基で置換されたフェニル基であることが特に好ましく、該イオン性親水性基は、−ＳＯ3Ｍ又は−ＣＯ2Ｍが好ましく、−ＣＯ2Ｍがより好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。該イオン性親水性基は、カルボキシル基であることが好ましく、カルボキシル基のカリウム塩であることが更に好ましい。
【００８４】
式（Ｙ−３）中、Ｘ1で表される二価の連結基は、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲA−（ＲAは水素原子、アルキル基又はアリール基）、−Ｓ−、−ＳＯ2−、−ＳＯ−又はこれらの組み合わせであることが好ましい。これらは更に−ＯＲ20（Ｒ20は水素原子又はカチオンを表し、Ｍがカチオンを表す場合はＬｉ+イオン、Ｎａ+イオン、Ｋ+イオン又はＮＨ4+イオンを表す。）により置換されていてもよい。より好ましくは二価のヘテロ環基であり、特に好ましくは、−１，３，５−トリアジン−２，４−ジイル基であり、−ＯＲ20で置換されていることがより好ましい。
ｎ６は１であることが好ましい。
【００８５】
式（Ｙ−３）で表される化合物は、下記式（Ｙ−３−１）で表される化合物であることが好ましく、下記式（Ｙ−３−２）で表される化合物であることが更に好ましい。
【００８６】
【化１０】
2016089042.tif 000011
（式（Ｙ−３−１）中、Ｒ13はそれぞれ独立に、水素原子又は置換基を表し、Ｒ14はそれぞれ独立に、−ＯＲ16、−ＮＨＲ17又はシアノ基を表し、Ｒ16及びＲ17は水素原子又は置換基を表し、Ｘ1は置換若しくは無置換のアリール基又は置換若しくは無置換のトリアジン基を表し、ｎ０は０又は１であり、Ａｒ1はそれぞれ独立に、２価のヘテロ環基を表し、Ａ4はそれぞれ独立に、イオン性親水性基を表し、ｎ７は０〜２を表す。）
【００８７】
式（Ｙ−３−１）中、Ａｒ1、Ｒ13、Ｒ14、ｎ６及びＸ1は、式（Ｙ−３）におけるＡｒ1、Ｒ13、Ｒ14、ｎ６及びＸ1と同義であり好ましいものも同様である。
【００８８】
式（Ｙ−３−１）中、Ａ4が表すイオン性親水性基は、−ＳＯ3Ｍ又は−ＣＯ2Ｍが好ましく、−ＳＯ3Ｍがより好ましく、−ＣＯ2Ｋが特に好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【００８９】
式（Ｙ−３−１）中、ｎ７は１又は２であることが好ましく、２であることがより好ましい。
【化１１】
2016089042.tif 000012
（式（Ｙ−３−２）中、Ｒ15は−ＯＭを表し、Ｒ20は−ＣＯ2Ｍを表し、Ｍは水素原子又は一価のカウンターカチオンを表す。Ｒ21は置換若しくは無置換のアルキル基を表し、Ｒ13はそれぞれ独立に、水素原子又は置換基を表し、Ｒ18は置換若しくは無置換のアミノ基を表し、Ｒ19はシアノ基を表す。）
【００９０】
式（Ｙ−３−２）中、Ｒ13及びＭは、式（Ｙ−３）におけるＲ13及びＭと同義であり好ましいものも同様である。
【００９１】
式（Ｙ−３−２）中、Ｒ21は、それぞれ独立に、水素原子、置換若しくは無置換のアルキル基、置換若しくは無置換のアルコキシ基、又は置換若しくは無置換のアリール基であることが好ましく、水素原子、メチル基、エチル基、ターシャリーブチル基、フェニル基、メトキシ基、エトキシ基であることがより好ましく、水素原子、又はターシャリーブチル基であることが更に好ましい。Ｒ21がさらに置換基を有する場合の置換基としては、前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
【００９２】
式（Ｙ−３−２）中、Ｒ18は、無置換のアミノ基であることが好ましい。
【００９３】
次に上記式（Ｙ−３）で表される化合物の具体例を下記表に示す。
【００９４】
【化１２】
2016089042.tif 000013
【００９５】
上記化合物については、特開２００６−５７０７６号公報、特開２００７−２１７６８１号公報に記載の合成法により合成される。
【００９６】
式（Ｙ−３）で表される染料の含有量は、インク組成物の総量に対して、好ましくは０．１０〜２．５質量％であり、より好ましくは０．２５〜２．０質量％であり、さらに好ましくは０．５０〜１．５質量％である。式（Ｙ−３）で表される染料の含有量が上記範囲内であることにより、インクジェットプリンターのヘッドノズル面における染料凝集が緩和され、印字安定性能がより向上し、かつ印刷物の耐光性能向上が得られる傾向にある。
【００９７】
染料（Ｙ−１）と、染料（Ｙ−３）との含有量比率Ｂ（染料（Ｙ−１）：染料（Ｙ−３））は、好ましくは６５：３５〜９５：５であり、より好ましくは７０：３０〜９０：１０であり、さらに好ましくは７５：２５〜８５：１５である。含有量比率Ｂが上記範囲内であることにより、印刷物の耐光性能がより向上する傾向にある。
【００９８】
染料（Ｙ−２）と、染料（Ｙ−３）との含有量比率Ｃ（染料（Ｙ−２）：染料（Ｙ−３））は、好ましくは１５：８５〜６５：３５であり、より好ましくは２０：８０〜６０：４０であり、さらに好ましくは２５：７５〜５５：４５である。含有量比率Ｃが上記範囲内であることにより、インクジェットプリンターのヘッドノズル面における染料凝集が緩和され、印字安定性能がより向上する傾向にある。
【００９９】
〔染料以外の成分〕
以下、インク組成物に含まれうる染料以外の成分について説明する。
【０１００】
〔主鎖の炭素数が１２以上であるアセチレングリコールのアルキレンオキサイド付加物、及び、主鎖の炭素数が１０以上であるアセチレングリコール〕
本実施形態のインク組成物は、主鎖の炭素数が１２以上であるアセチレングリコールのアルキレンオキサイド付加物と、主鎖の炭素数が１０以上であるアセチレングリコールと、を含むことが好ましい。アセチレングリコールのアルキレンオキサイド付加物と、主鎖の炭素数が１０以上であるアセチレングリコールと、を含むことにより、色再現性、ブリードが抑制され画質がより向上する傾向にある。
【０１０１】
〔主鎖の炭素数が１２以上であるアセチレングリコールのアルキレンオキサイド付加物〕
主鎖の炭素数が１２以上であるアセチレングリコールのアルキレンオキサイド付加物（以下、「アセチレングリコールＡ」ともいう。）は、後述する主鎖の炭素数が１０以上であるアセチレングリコールとともに、アセチレングリコール系界面活性剤（ノニオン系界面活性剤）に含まれるものである。ノニオン系界面活性剤は、被記録媒体上でインクを均一に拡げる作用がある。そのため、ノニオン系界面活性剤を含むインクを用いてインクジェット記録を行った場合、滲みの少ない比較的高精細な画像が得られる。なお、本明細書における「主鎖」とは、ＩＵＰＡＣ命名法に基づく主鎖を意味する。
【０１０２】
特に、アセチレングリコールＡは、主鎖の炭素数が１２以上であることにより、インク流路を構成するゴムやプラスチック等の高分子部材及びインクにおける気泡発生の一因となり得る異物に対する濡れ性に優れる。そのため、アセチレングリコールＡを用いることにより、インクタンクからヘッドまでの高分子部材の流路面に、発生した気泡が残留することを抑制することができる。また、これにより、初期充填性が優れるとともに、残留した気泡の成長、及び流路面に付着していた気泡の離脱に起因するドット抜けを共に防止できることから、連続印刷安定性が良好となる。さらに、アセチレングリコールＡは、アルキレンオキサイド付加物であることによりインク中における溶解性が優れたものとなる。
【０１０３】
アセチレングリコールＡのＨＬＢ（Hydrophile - Lipophile Balance）値は、上記の濡れ性が一層優れたものとなるため、好ましくは８〜１５である。なお、ここでＨＬＢ値は、グリフィン法で定義されるＨＬＢ値とする。
【０１０４】
アセチレングリコールＡとしては、以下に限定されないが、例えば、下記式（１）で表される化合物が挙げられる。
【化１３】
2016089042.tif 000014
（上記式（１）中、Ｒ1、Ｒ1'、Ｒ2、及びＲ2'は互いに独立して炭素数１〜５のアルキル基を表し、主鎖の炭素数は１２以上であり、−ＯＲ3は−ＯＨ又は−Ｏ（Ｃ2Ｈ4Ｏ）mＨを表し、−ＯＲ3'は−ＯＨ又は−Ｏ（Ｃ2Ｈ4Ｏ）nＨを表す。その際、ｍ及びｎは互いに独立して０．５〜２５の小数を含む値であり、ｍ＋ｎは１〜４０の小数を含む値である（ただし、−ＯＲ3及び−ＯＲ3'が共に−ＯＨである場合を除く。）。）
【０１０５】
アセチレングリコールＡの具体例としては、特に限定されないが、例えば、２，５，８，１１−テトラメチル−６−ドデシン−５，８−ジオールのエトキシル化物及び５，８−ジメチル−６−ドデシン−５，８−ジオールのエトキシル化物が挙げられる。上記アセチレングリコールのアルキレンオキサイド付加物の中でもアセチレングリコールのエチレンオキサイド付加物及びアセチレングリコールのプロピレンオキサイド付加物が好ましく、アセチレングリコールのエチレンオキサイド付加物がより好ましい。
【０１０６】
アセチレングリコール中のアルキレンオキサイド単位の付加モル数は、Ｒ3及びＲ3'それぞれにおいて、好ましくは１〜２０モルである。また、当該付加モル数の総数（Ｒ3及びＲ3'の合計）は、好ましくは２〜４０モルである。アルキレンオキサイドの付加モル数の総数が４０モル以下であると、静的及び動的表面張力を小さくすることができ、インクの吸収性能が良好となる。
【０１０７】
アセチレングリコールＡの市販品としては、以下に限定されないが、例えば、オルフィンＥＸＰ４３００（日信化学工業社（Nissin Chemical Industry CO.,Ltd.）製商品名、炭素数１２、エチレンオキサイド付加物）が挙げられる。
【０１０８】
アセチレングリコールＡは、１種単独で用いてもよく、２種以上を組み合わせて用いてもよい。
【０１０９】
本実施形態のインク組成物に含まれるアセチレングリコールＡの含有量は、インク組成物の総量に対して、好ましくは０．０５０〜１．０質量％であり、より好ましくは０．０７５〜０．７５質量％であり、さらに好ましくは０．１０〜０．５０質量％である。アセチレングリコールＡの含有量が０．０５０質量％以上であることにより、疎水面への濡れ性が上がり充填性がより向上する傾向にある。また、アセチレングリコールＡの含有量が０．３０質量％以下であることにより、溶解安定性がより向上する傾向にある。
【０１１０】
〔主鎖の炭素数が１０以上であるアセチレングリコール〕
主鎖の炭素数が１０以上のアセチレングリコール（以下、「アセチレングリコールＢ」ともいう。）は、インク中に発生した気泡を効果的に消泡させることができる。これにより、初期充填性及び連続印刷安定性が優れたものとなる。
【０１１１】
アセチレングリコールＢのＨＬＢ値は、消泡性に優れるため、７以下が好ましく、３〜５がより好ましい。
【０１１２】
アセチレングリコールＢとしては、特に限定されないが、例えば、下記式（２）で表されるアセチレングリコールが挙げられる。
【化１４】
2016089042.tif 000015
（上記式（２）中、Ｒ1、Ｒ1'、Ｒ2、及びＲ2'は互いに独立して炭素数１〜５のアルキル基を表し、主鎖の炭素数は１０以上である。なお、当該式（２）中のＲ1、Ｒ1'、Ｒ2、及びＲ2'は、上述した式（１）中のＲ1、Ｒ1'、Ｒ2、及びＲ2'と関係のないものである。）
【０１１３】
アセチレングリコールＢの具体例としては、以下に限定されないが、２，５，８，１１−テトラメチル−６−ドデシン−５，８−ジオール、５，８−ジメチル−６−ドデシン−５，８−ジオール、２，４，７，９−テトラメチル−５−デシン−４，７−ジオール及び４，７−ジメチル−５−デシン−４，７−ジオールが好ましく挙げられる。
【０１１４】
アセチレングリコールＢの市販品としては、以下に限定されないが、例えば、サーフィノール１０４ＰＧ５０（２，４，７，９−テトラメチル−５−デシン−４，７−ジオール）、サーフィノールＤＦ１１０Ｄ（２，５，８，１１−テトラメチル−６−ドデシン−５，８−ジオール）（以上、エアプロダクツ社製商品名）が挙げられる。
【０１１５】
アセチレングリコールＢは、１種単独で用いてもよく、２種以上を組み合わせて用いてもよい。
【０１１６】
アセチレングリコールＢの含有量は、インク組成物の総量に対して、好ましくは０．０５０〜１．０質量％であり、より好ましくは０．０７５〜０．７５質量％であり、さらに好ましくは０．１０〜０．５０質量％である。アセチレングリコールＢの含有量が０．０５０質量％以上であることにより、抑泡性が上がり、充填性がより向上する傾向にある。また、アセチレングリコールＢの含有量が０．３０質量％以下であることにより、溶解安定性がより向上する傾向にある。
【０１１７】
アセチレングリコールＡ及びアセチレングリコールＢの総含有量は、インク組成物の総量に対して、好ましくは０．１０〜１．２５質量％であり、より好ましくは０．３０〜１．０質量％であり、さらに好ましくは０．４５〜０．７５質量％である。アセチレングリコールＡ及びアセチレングリコールＢの総含有量が前記範囲内にあることにより、インクに対する溶解性が良好となり、これらのアセチレングリコールを配合した際に凝集物が発生するのを効果的に防止できる。
【０１１８】
〔ポリオキシアルキレンアルキルエーテル〕
本実施形態のインク組成物は、ポリオキシアルキレンアルキルエーテルを含んでもよい。ポリオキシアルキレンアルキルエーテルを含むことにより、アセチレングリコールＡとアセチレングリコールＢの溶解性、分散性がより向上する傾向にある。また、ポリオキシアルキレンアルキルエーテルは、アセチレングリコールＡとアセチレングリコールＢの有する低い動的表面張力に影響を及ぼしにくい。
【０１１９】
ところで、インク連続供給システム（ＣＩＳＳ）は、疎水性の材料からなるインク流路やインクタンクが使用されることが多いため、インク連続供給システムに用いるインクセットにおいては、各インクが比較的疎水性の界面活性剤を使用することが効果的である。この観点から、アセチレングリコールＡ及びアセチレングリコールＢを併用することが有効であるが、アセチレングリコールＡ及びアセチレングリコールＢの効果を得つつ、さらに、溶解安定性、初期充填性、連続印刷安定性を向上させる観点から、特に、本実施形態のインクセットを、インク連続供給システム（ＣＩＳＳ）を備える記録装置に対して用いる場合には、インクがポリオキシアルキレンアルキルエーテルを含むことが好ましい。
【０１２０】
ここで、「インク供給システム」とは、空気導入口を有するインク収容容器（インクタンク）と、インク収容容器内の上記液体を吐出するノズルを有するプリントヘッドと、上記インク収容容器及び上記プリントヘッドを接続し、上記インク収容容器から上記プリントヘッドへ上記液体を供給するインク供給路と、を備えるものをいう。
【０１２１】
また、「インク流路」とは、インクジェット記録装置において、インクを流通させるための流路をいう。インク流路としては、例えば、インクを貯留するインク収容容器からインクジェット式記録ヘッドにインクを供給するためのインク供給路や、インクジェット式記録ヘッド内においてインクをノズル開口部まで流通させるための流路が挙げられる。
【０１２２】
ポリオキシアルキレンアルキルエーテルのＨＬＢ値は、好ましくは１１〜１６であり、より好ましくは１２〜１５である。ポリオキシアルキレンアルキルエーテルのＨＬＢ値が上記範囲内であることにより、初期充填性及び連続印刷安定性がより向上する傾向にある。
【０１２３】
ポリオキシアルキレンアルキルエーテルとしては、以下に限定されないが、例えば、下記式（３）で表される化合物が挙げられる。このようなポリオキシアルキレンアルキルエーテルを用いることにより、保存安定性及び連続印刷安定性がより向上する傾向にある。
Ｒ6Ｏ（Ｃ2Ｈ4Ｏ）w（Ｃ3Ｈ6Ｏ）x（Ｃ2Ｈ4Ｏ）y（Ｃ3Ｈ6Ｏ）zＨ・・・（３）
（上記式（３）中、Ｒ6は、炭素数１〜２０のアルキル基を表し、好ましくは炭素数５〜１５のアルキル基を表し、より好ましくは炭素数１０〜１５のアルキル基を表す。また、ｗは１〜２０の値であり、ｘ、ｙ、及びｚは互いに独立して０又は１〜２０の値である。さらに、ｗ、ｘ、ｙ、及びｚは、５≦ｗ＋ｘ＋ｙ＋ｚ≦３０を満たし、好ましくは５≦ｗ＋ｘ＋ｙ＋ｚ≦２５を満たす。）
【０１２４】
ポリオキシアルキレンアルキルエーテルとしては、特に限定されないが、具体的には、
Ｃ12Ｈ25Ｏ（Ｃ2Ｈ4Ｏ）6（Ｃ3Ｈ6Ｏ）2（Ｃ2Ｈ4Ｏ）6（Ｃ3Ｈ6Ｏ）8Ｈ、
Ｃ13Ｈ27Ｏ（Ｃ2Ｈ4Ｏ）6（Ｃ3Ｈ6Ｏ）2（Ｃ2Ｈ4Ｏ）6（Ｃ3Ｈ6Ｏ）8Ｈ、
Ｃ12Ｈ25Ｏ（Ｃ2Ｈ4Ｏ）w（Ｃ3Ｈ6Ｏ）x（Ｃ2Ｈ4Ｏ）y（Ｃ3Ｈ6Ｏ）zＨ
（ここで、ｗ＋ｙ＝１５、ｘ＋ｚ＝４）、
Ｃ13Ｈ27Ｏ（Ｃ2Ｈ4Ｏ）w（Ｃ3Ｈ6Ｏ）x（Ｃ2Ｈ4Ｏ）y（Ｃ3Ｈ6Ｏ）zＨ
（ここで、ｗ＋ｙ＝１５、ｘ＋ｚ＝４）、
Ｃ12Ｈ25Ｏ（Ｃ2Ｈ4Ｏ）8（Ｃ3Ｈ6Ｏ）2（Ｃ2Ｈ4Ｏ）6Ｈ、
Ｃ13Ｈ27Ｏ（Ｃ2Ｈ4Ｏ）8（Ｃ3Ｈ6Ｏ）2（Ｃ2Ｈ4Ｏ）6Ｈ、
Ｃ12Ｈ25Ｏ（Ｃ2Ｈ4Ｏ）12（Ｃ3Ｈ6Ｏ）2（Ｃ2Ｈ4Ｏ）12Ｈ、
Ｃ13Ｈ27Ｏ（Ｃ2Ｈ4Ｏ）12（Ｃ3Ｈ6Ｏ）2（Ｃ2Ｈ4Ｏ）12Ｈ、
ＣＨ3（ＣＨ2）9（ＣＨ3）ＣＨＯ（Ｃ2Ｈ4Ｏ）7（Ｃ3Ｈ6Ｏ）4.5Ｈ、
ＣＨ3（ＣＨ2）11（ＣＨ3）ＣＨＯ（Ｃ2Ｈ4Ｏ）7（Ｃ3Ｈ6Ｏ）4.5Ｈ、
ＣＨ3（ＣＨ2）9（ＣＨ3）ＣＨＯ（Ｃ2Ｈ4Ｏ）5（Ｃ3Ｈ6Ｏ）3.5Ｈ、
ＣＨ3（ＣＨ2）11（ＣＨ3）ＣＨＯ（Ｃ2Ｈ4Ｏ）5（Ｃ3Ｈ6Ｏ）3.5Ｈ、
Ｃ14Ｈ29Ｏ（Ｃ2Ｈ4Ｏ）14（Ｃ3Ｈ6Ｏ）2Ｈ、
Ｃ11Ｈ23Ｏ（Ｃ2Ｈ4Ｏ）8Ｈ、
Ｃ10Ｈ21Ｏ（Ｃ2Ｈ4Ｏ）11Ｈ、及び
Ｃ12Ｈ25Ｏ（Ｃ2Ｈ4Ｏ）15Ｈが挙げられる。
【０１２５】
ポリオキシアルキレンアルキルエーテルの市販品としては、特に限定されないが、具体的には、
ノイゲンＤＬ−０４１５（Ｒ6Ｏ（Ｃ2Ｈ4Ｏ）W（Ｃ3Ｈ6Ｏ）x（Ｃ2Ｈ4Ｏ）y（Ｃ3Ｈ6Ｏ）zＨ、「Ｒ6」：炭素数１２，１３のアルキル、ｗ＋ｙ＝１５、ｘ＋ｚ＝４、ＨＬＢ値１５．０）、
ノイゲンＥＴ−１１６Ｂ（Ｒ6Ｏ（Ｃ2Ｈ4Ｏ）7（Ｃ3Ｈ6Ｏ）4.5Ｈ、「Ｒ6」：炭素数１２，１４のアルキル、ＨＬＢ値１２．０）、
ノイゲンＥＴ−１０６Ａ（Ｒ6Ｏ（Ｃ2Ｈ4Ｏ）5（Ｃ3Ｈ6Ｏ）3.5Ｈ、「Ｒ6」：炭素数１２，１４のアルキル、ＨＬＢ値１０．９）、
ノイゲンＤＨ−０３００（Ｒ6Ｏ（Ｃ2Ｈ4Ｏ）2Ｈ、「Ｒ6」：炭素数１４のアルキル、ＨＬＢ値４．０）、
ノイゲンＹＸ−４００（Ｒ6Ｏ（Ｃ2Ｈ4Ｏ）40Ｈ、「Ｒ6」：炭素数１２のアルキル、ＨＬＢ値１８．１）、
ノイゲンＥＡ−１６０（Ｃ9Ｈ19Ｃ6Ｈ4Ｏ（Ｃ2Ｈ4Ｏ）16.8Ｈ、ＨＬＢ値１５．４）（以上、第一工業製薬社製）、及び
エマルゲン１１０８（花王社製商品名、Ｒ6Ｏ（Ｃ2Ｈ4Ｏ）8Ｈ、「Ｒ6」：炭素数１１のアルキル、ＨＬＢ値１３．４）が挙げられる。
【０１２６】
ポリオキシアルキレンアルキルエーテルは、１種単独で用いてもよく、２種以上を組み合わせて用いてもよい。
【０１２７】
ポリオキシアルキレンアルキルエーテルの含有量は、インク組成物の総量に対し、好ましくは０．５０〜５．５０質量％であり、より好ましくは１．０〜５．０質量％であり、さらに好ましくは１．５０〜４．５０質量％である。ポリオキシアルキレンアルキルエーテルの含有量が上記範囲であることにより、保存安定性及び連続印刷安定性がより向上する傾向にある。
【０１２８】
また、ポリオキシアルキレンアルキルエーテルの含有量は、アセチレングリコールＡの含有量１質量部に対して、好ましくは５．０〜１５質量部であり、より好ましくは７．５〜１２．５質量部である。ポリオキシアルキレンアルキルエーテルの含有量が上記範囲内であることにより、アセチレングリコールＡが十分に可溶化し、水溶性が良好となる傾向にある。そのため、配合した際に凝集物が発生したりインクの吸収性にバラツキが発生したりすることを抑制できる傾向にある。
【０１２９】
さらに、ポリオキシアルキレンアルキルエーテルの含有量は、アセチレングリコールＡ及びアセチレングリコールＢの総含有量１質量部に対して、好ましくは２．５〜７．５であり、より好ましくは３．５〜６．５質量部である。ポリオキシアルキレンアルキルエーテルの含有量が上記範囲内にあることにより、アセチレングリコールＡ及びアセチレングリコールＢが十分に可溶化して水溶性が良好となる。そのため、ポリオキシアルキレンアルキルエーテル及びアセチレングリコールＡ及びアセチレングリコールＢを配合する際に凝集物が発生したり、インクの吸収性にバラツキが発生したりすることを抑制できる傾向にある。
【０１３０】
〔上記以外の界面活性剤〕
本実施形態のインク組成物は、上記以外の界面活性剤を含んでもよい。当該界面活性剤としては、特に限定されないが、例えば、フッ素系界面活性剤及びシリコーン系界面活性剤のうち少なくともいずれかが好ましい。インクがこれらの界面活性剤を含むことにより、布帛に付着したインクの乾燥性が一層良好となり、かつ、高速印刷が可能となる。
【０１３１】
これらの中でも、インクへの溶解度が大きくなりインク中に異物が一層発生し難くなるため、シリコーン系界面活性剤がより好ましい。
【０１３２】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【０１３３】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【０１３４】
〔溶剤〕
インク組成物は、溶剤をさらに含んでもよい。溶剤としては、特に限定されないが、例えば、有機溶剤又は水を用いることができる。
【０１３５】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクを長期保存する場合にカビやバクテリアの発生を防止することができる。これにより貯蔵安定性がより向上する傾向にある。
【０１３６】
有機溶剤の中でも、揮発性の水溶性有機溶剤がより好ましい。有機溶剤としては、特に限定されないが、具体的には、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類、Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホラン、及び１，１，３，３−テトラメチル尿素が挙げられる。
【０１３７】
溶剤は、１種単独で用いてもよく、２種以上を組み合わせて用いてもよい。有機溶剤の含有量は特に制限されず、必要に応じて適宜決定することができる。前記ポリオキシエチレンアルキルエーテルとの相溶性を向上するという観点では、トリエチレングリコールモノブチルエーテル等のトリエチレングリコールアルキルテール類が好ましい。
【０１３８】
トリエチレングリコールアルキルエーテルの含有量は、好ましくは３．０質量％〜１５質量％であり、より好ましくは３．０質量％〜１２．５質量％であり、さらに好ましくは３．０質量％〜１０質量％である。リエチレングリコールアルキルエーテルの含有量が上記範囲内であることにより、インクジェットヘッドノズルにおける、界面活性剤の分離による吐出不良がより抑制される傾向にある。
【０１３９】
ポリオキシアルキレンアルキルエーテルに対するトリエチレングリコールアルキルエーテルの質量比は、好ましくは１．５以上であり、好ましくは１．７５以上であり、好ましくは２以上である。また、ポリオキシアルキレンアルキルエーテルに対するトリエチレングリコールアルキルエーテルの質量比の上限は、特に限定されないが、１０以下が好ましい。ポリオキシアルキレンアルキルエーテルに対するトリエチレングリコールアルキルエーテルの質量比が上記範囲内であることにより、インクジェットヘッドノズルにおける、界面活性剤の分離による吐出不良がより抑制される傾向にある。
【０１４０】
〔ｐＨ調整剤〕
本実施形態で用いるインク組成物は、ｐＨ調整剤を含んでもよい。ｐＨ調整剤は、インクのｐＨ値の調整を容易にすることができる。ｐＨ調整剤としては、特に限定されないが、例えば、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリプロパノールアミン）、有機酸（例えば、アジピン酸、クエン酸、コハク酸等）等が挙げられる。ｐＨ調整剤は、１種単独で用いてもよいし、２種以上混合して用いてもよい。
【０１４１】
〔その他の成分〕
本実施形態で用いるインク組成物は、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【０１４２】
〔動的接触角〕
本実施形態のインク組成物のシリコンウェーハに対する動的接触角は、滴下後１００ｍｓｅｃにおいて、２４°以下であり、好ましくは２２°以下であり、より好ましくは２０°以下である。また、本実施形態のインク組成物のシリコンウェーハに対する接触角は、滴下後５１００ｍｓｅｃにおいて、９°以下であり、好ましくは７°以下であり、より好ましくは５°以下である。シリコンウェーハに対する動的接触角が上記範囲内であることにより、インクジェットプリンターの充填性がより向上する。動的接触角は実施例に記載の方法により測定することができる。
【実施例】
【０１４３】
以下、本発明を実施例及び比較例を用いてより具体的に説明する。本発明は、以下の実施例によって何ら限定されるものではない。
【０１４４】
［インク組成物用の材料］
下記の実施例及び比較例において使用したインク組成物用の主な材料は、以下の通りである。
〔染料〕
染料（Ｙ−１−１）      ：下記参照
染料（Ｙ−２−１）      ：Ｃ．Ｉ．ダイレクトイエロー８６
染料（Ｙ−２−２）      ：Ｃ．Ｉ．ダイレクトイエロー１３２
染料（Ｙ−２−３）      ：Ｃ．Ｉ．ダイレクトイエロー１４２
染料（Ｙ−３−１）      ：下記参照
【化１５】
2016089042.tif 000016
〔界面活性剤〕
オルフィンＥ１０１０：主鎖の炭素数１０、エチレンオキサイドの付加モル数１０、ＨＬＢ１３〜１４、日信化学工業社製
サーフィノール４６５：主鎖の炭素数１０、エチレンオキサイドの付加モル数１０、ＨＬＢ９、エアプロダクツ社製
サーフィノール１０４ＰＧ５０：主鎖の炭素数１０、エチレンオキサイドの付加なし、ＨＬＢ４、エアプロダクツ社製
ニューコール１００６、ポリオキシアルキレンアルキルエーテル、日本乳化剤社製
〔溶剤〕
ジプロピレングリコール−ｎ−プロピルエーテル
トリエチレングリコールモノブチルエーテル
グリセリン
トリエチレングリコール
〔ｐＨ調整剤〕
トリエタノールアミン
【０１４５】
［インク組成物の調製］
各材料を下記の表１に示す組成で混合し、十分に撹拌し、各インク組成物を得た。なお、下記の表１中、数値の単位は質量％であり、合計は１００．０質量％である。
【０１４６】
〔動的接触角〕
シリコンウェーハ上にインク組成物を０．５μＬ滴下し、シリコンウェーハにインク組成物が付着した時点から１００ｍｓ後と、５１００ｍｓ後のインク組成物の接触角を、協和界面科学製ＰＣＡ−１を用いて測定した。測定は、２５℃、湿度５０％の条件下で行った。なお、インクの測定と同じ動的表面張力の測定条件にて、イオン交換水を測定したところ、当該シリコンウェーハの値は、１００ｍｓｅｃで７７°、５１００ｍｓｅｃで７５°であった。
【０１４７】
【表１】
2016089042.tif 000017
【０１４８】
〔耐光性〕
上記インク組成物をインクジェットプリンターＥＰ−８０５Ａ（セイコーエプソン株式会社製）に充填し、写真用紙＜光沢＞（セイコーエプソン株式会社製）に、ＯＤ値が０．５、１．０、１．５、２．０になるように調整されたベタを含む画像を印刷することによって記録物をそれぞれ作成した。
【０１４９】
得られた記録物のＯＤ値（Ｄ０）を反射濃度計（商品名：Ｓｐｅｃｔｒｏｌｉｎｏ、Ｇｒｅｔａｇ社製）を用いて測定した。その後、記録物をキセノンウェザーメーター（商品名：ＸＬ７５Ｓ、スガ試験機株式会社製）を使用し、温度が２３℃、湿度が５０％ＲＨ、照度７５ｋｌｕｘの条件下で６日、１２日、１８日、曝露した。曝露後、記録物のＯＤ値（Ｄ）を、反射濃度計（商品名：Ｓｐｅｃｔｒｏｌｉｎｏ、Ｇｒｅｔａｇ社製）を用いて測定し、次式により光学濃度残存率（ＲＯＤ）を求め、下記判定基準により、耐光性を評価した。
ＲＯＤ（％）＝（Ｄ／Ｄ０）×１００
測定条件：光源フィルタなし、光源：Ｄ５０、視野角２度
（評価基準）
Ａ  ：  １８日曝露しても、すべての記録物のＲＯＤが７０％以上である。
Ｂ  ：  １２日曝露しても、すべての記録物のＲＯＤが７０％以上であるが、１８日曝露するとＲＯＤが７０％未満となる。
Ｃ  ：  ６日曝露しても、すべての記録物のＲＯＤが７０％以上であるが、１２日曝露するとＲＯＤが７０％未満となる。
Ｄ  ：  ６日曝露するとすべての記録物のＲＯＤが７０％未満となる。
【０１５０】
〔初期充填性〕
調製した各インクセットを、インクジェットプリンターＥＰ−８０５Ａ（セイコーエプソン社製）のインクカートリッジに充填した。ＥＰ−８０５Ａの定める初期充填シーケンスに従い、ヘッドへの初期充填動作を行った。この後、ヘッドの全ノズルからインクが吐出できるかどうかを確認するため、ノズルチェックを実施した。インクが吐出できないノズルがある場合には、ヘッドのクリーニング（ノズル内のインクの吸引）を行い、その後再度ノズルチェックを実施した。全ノズルからインクが吐出できるまでに要したクリーニングの回数に基づき、以下の評価基準により初期充填性を評価した。
（評価基準）
Ａ  ：  初期充填シーケンスのみで全ノズルから吐出する。
Ｂ  ：  全ノズルからインクが吐出できるまでに要したクリーニング回数が１回である。
Ｃ  ：  全ノズルからインクが吐出できるまでに要したクリーニング回数が２回以上である。
【０１５１】
〔印刷安定性（間欠）〕
上記「初期充填性の評価」によって、ヘッドの全ノズルからインクが吐出できることを確認した後、評価用のヘッド動作シーケンスプログラムを用いて、インクジェットプリンターの紙送り方向と平行となるような縦罫線パターンを印刷し、以下の評価基準により印刷安定性（間欠）を評価した。
試験環境  ：  ４０℃２５％Ｒｈ
評価用ヘッド動作シーケンス  ：  インクを吐出しない状態でヘッド主走査方向にヘッドを４０秒間往復運動させ、その後インク空打ち（フラッシング）を５回繰り返した後に、罫線を２本印刷させる。
（評価基準）
Ａ  ：  １本目、２本目ともに罫線が正常に印刷される（目視確認）。
Ｂ  ：  １本目または２本目の罫線が正常に印刷される（目視確認）。
Ｃ  ：  １本目、２本目ともに罫線が正常に印刷されない（目視確認）。